(57)【要約】【課題】組み立てを複雑にすることなく、固定状態を維持出来る包装用箱を提供する。【解決手段】正面上フラップ４ａは、両端から延設された正面タブ８ａ２を有し、背面上フラップ４ｂは、両端から延設された背面タブ８ｂ１を有し、側面上フラップ５ａを二つ折りにすることで、正面タブ８ａ２と背面タブ８ｂ１を挟み込み、差し込みタブ１５ａが、側面部２ａの上部に設けられたスリット１４ａに挿入されることにより、箱体の上面が固定され、側面上フラップ５ａは、二つ折りする際に、正面タブ８ａ２、背面タブ８ｂ１の表面と対向する基部９ａと、正面タブ８ａ２、背面タブ８ｂ１の裏面と対向する折り返しフラップ１０ａとを有し、差し込みタブ１５ａは、折り返しフラップ１０ａから突出し、差し込みタブ１５ａの両端から折り返しフラップ１０ａの基部に近づく方向に向けて切り込み１３ａ、１３ｂが設けられる。【選択図】図２
0003158155.tif 000002
【実用新案登録請求の範囲】
【請求項１】
箱体の対向する１対の正面、背面を構成する正面部、背面部と、
前記箱体の対向する１対の側面を構成する第１、第２側面部と、
前記正面部から延設された正面上フラップと、
前記背面部から延設された背面上フラップと、
前記第１側面部から延設された第１側面上フラップと、
前記第２側面部から延設された第２側面上フラップとを備え、
前記正面上フラップ、前記背面上フラップ、前記第１側面上フラップ、及び前記第２側面上フラップを、前記箱体の上面側に折り曲げて前記箱体の上面の周囲の部分が閉じられると共に、前記正面上フラップと前記背面上フラップとの間の上面中央部分が部分的に開いている包装用箱であって、
前記正面上フラップは、両端から延設された第１、第２正面タブを有し、
前記背面上フラップは、両端から延設された第１、第２背面タブを有し、
前記第１側面上フラップを二つ折りにすることで、前記第２正面タブと前記第１背面タブを挟み込み、
前記第２側面上フラップを二つ折りにすることで、前記第１正面タブと前記第２背面タブを挟み込み、
前記第１側面上フラップの先端に設けられた第１差し込みタブが、前記第１側面部の上部に設けられた第１スリットに挿入され、前記第２側面上フラップの先端に設けられた第２差し込みタブが、前記第２側面部の上部に設けられた第２スリットに挿入されることにより、前記箱体の上面が固定され、
前記第１側面上フラップは、二つ折りする際に、前記第２正面タブ、前記第１背面タブの表面と対向する第１基部と、前記第２正面タブ、前記第１背面タブの裏面と対向する第１折り返しフラップとを有し、
前記第２側面上フラップは、二つ折りする際に、前記第１正面タブ、前記第２背面タブの表面と対向する第２基部と、前記第１正面タブ、前記第２背面タブの裏面と対向する第２折り返しフラップとを有し、
前記第１差し込みタブは、前記第１折り返しフラップから突出し、前記第１差し込みタブの両端から前記第１折り返しフラップの前記第１基部に近づく方向に向けて第１、第２切り込みが設けられ、
前記第２差し込みタブは、前記第２折り返しフラップから突出し、前記第２差し込みタブの両端から前記第２折り返しフラップの前記第２基部に近づく方向に向けて第３、第４切り込みが設けられることを特徴とする包装用箱。
【請求項２】
前記第２正面タブ、前記第１背面タブは、前記第１折り返しフラップに設けられた前記第１、第２切り込みで形成される領域と対向する部分に切り欠きが設けられ、
前記第１正面タブ、前記第２背面タブは、前記第２折り返しフラップに設けられた前記第３、第４切り込みで形成される領域と対向する部分に切り欠きが設けられることを特徴とする請求項１に記載の包装用箱。
【請求項３】
前記第１差し込みタブは、前記第１折り返しフラップから遠い側の幅が広く、近い側の幅が狭く、
前記第２差し込みタブは、前記第２折り返しフラップから遠い側の幅が広く、近い側の幅が狭く、
前記第１差し込みタブにおける前記第１折り返しフラップから遠い側の幅は、前記第１スリットの幅よりもわずかに広く、
前記第２差し込みタブにおける前記第２折り返しフラップから遠い側の幅は、前記第２スリットの幅よりもわずかに広いことを特徴とする請求項１に記載の包装用箱。
【請求項４】
前記第１差し込みタブ、前記第１切り込み、及び前記第２切り込みによって、等脚台形が形成され、
前記第２差し込みタブ、前記第３切り込み、及び前記第４切り込みによって、等脚台形が形成されることを特徴とする請求項３に記載の包装用箱。
【考案の詳細な説明】
【技術分野】
【０００１】
本考案は、１枚のブランクを折り曲げて形成され、上面中央部分が部分的に開いている包装用箱に関し、特に、組み立てを簡素化と、組み立て後の固定状態維持に関する。
【背景技術】
【０００２】
従来、特許文献１のように、１枚のブランクを折り曲げて形成され、上面中央部分が空いている包装用箱が提案されている。
【先行技術文献】
【特許文献】
【０００３】
【特許文献１】特開２００６−１３７４７７号公報
【考案の概要】
【考案が解決しようとする課題】
【０００４】
しかし、組み立て後の固定状態を維持するために、ブランクの一部を山折りし、一部を谷折りして包装用箱を形成する必要があり、組み立てが複雑であった。
【０００５】
したがって本考案の目的は、１枚のブランクを折り曲げて形成され、上面中央部分が空いている包装用箱であって、組み立てを複雑にすることなく、固定状態を維持出来る包装用箱を提供することである。
【課題を解決するための手段】
【０００６】
本考案に係る包装用箱は、箱体の対向する１対の正面、背面を構成する正面部、背面部と、箱体の対向する１対の側面を構成する第１、第２側面部と、正面部から延設された正面上フラップと、背面部から延設された背面上フラップと、第１側面部から延設された第１側面上フラップと、第２側面部から延設された第２側面上フラップとを備え、正面上フラップ、背面上フラップ、第１側面上フラップ、及び第２側面上フラップを、箱体の上面側に折り曲げて箱体の上面の周囲の部分が閉じられると共に、正面上フラップと背面上フラップとの間の上面中央部分が部分的に開いている包装用箱であって、正面上フラップは、両端から延設された第１、第２正面タブを有し、背面上フラップは、両端から延設された第１、第２背面タブを有し、第１側面上フラップを二つ折りにすることで、第２正面タブと第１背面タブを挟み込み、第２側面上フラップを二つ折りにすることで、第１正面タブと第２背面タブを挟み込み、第１側面上フラップの先端に設けられた第１差し込みタブが、第１側面部の上部に設けられた第１スリットに挿入され、第２側面上フラップの先端に設けられた第２差し込みタブが、第２側面部の上部に設けられた第２スリットに挿入されることにより、箱体の上面が固定され、第１側面上フラップは、二つ折りする際に、第２正面タブ、第１背面タブの表面と対向する第１基部と、第２正面タブ、第１背面タブの裏面と対向する第１折り返しフラップとを有し、第２側面上フラップは、二つ折りする際に、第１正面タブ、第２背面タブの表面と対向する第２基部と、第１正面タブ、第２背面タブの裏面と対向する第２折り返しフラップとを有し、第１差し込みタブは、第１折り返しフラップから突出し、第１差し込みタブの両端から第１折り返しフラップの第１基部に近づく方向に向けて第１、第２切り込みが設けられ、第２差し込みタブは、第２折り返しフラップから突出し、第２差し込みタブの両端から第２折り返しフラップの第２基部に近づく方向に向けて第３、第４切り込みが設けられる。
【０００７】
これにより、ブランクの状態から、包装用箱を組み立て、第１差し込みタブの第１スリットへの挿入、及び第２差し込みタブの第２スリットへの挿入により、上面部を固定することが可能になる。特に、ブランクを折り曲げる折れ線は、総て同じ方向の山折りで良いため、谷折りと山折りの箇所を区別する必要なく、簡単に包装用箱を組み立てることが可能になる。
【０００８】
第１、第２切り込みによって、第１折り返しフラップが、内側部分と外側部分に分離出来るので、第１差し込みタブを第１スリットに挿入するために、該内側部分だけを、押し込むように折り曲げることが可能になり、第１、第２切り込みが無い形態に比べて、組み立てが容易になる。
【０００９】
第３、第４切り込みによって、第２折り返しフラップが、内側部分と外側部分に分離出来るので、第２差し込みタブを第２スリットに挿入するために、該内側部分だけを、押し込むように折り曲げることが可能になり、第３、第４切り込みが無い形態に比べて、組み立てが容易になる。
【００１０】
また、挿入後、折り曲げに対する反力により、第１折り返しフラップが、第２正面タブや第１背面タブから離れようとする力（第１差し込みタブの第１スリットへの挿入状態を解除しようとする力）が発生するが、かかる反力が、第１、第２切り込みによって内側部分と外側部分で分離されているため、第１、第２切り込みが無い形態に比べて該力が小さく、挿入状態が解除されにくいメリットがある。
【００１１】
また、挿入後、段ボールシートの折り曲げに対する反力により、第２折り返しフラップが、第１正面タブや第２背面タブから離れようとする力（第２差し込みタブの第２スリットへの挿入状態を解除しようとする力）が発生するが、かかる反力が、第３、第４切り込みによって内側部分と外側部分で分離されているため、第３、第４切り込みが無い形態に比べて該力が小さく、挿入状態が解除されにくいメリットがある。
【００１２】
好ましくは、第２正面タブ、第１背面タブは、第１折り返しフラップに設けられた第１、第２切り込みで形成される領域と対向する部分に切り欠きが設けられ、第１正面タブ、第２背面タブは、第２折り返しフラップに設けられた第３、第４切り込みで形成される領域と対向する部分に切り欠きが設けられる。
【００１３】
また、第２正面タブの切り欠きや第１背面タブの切り欠きによって形成された空きスペースを介して、第１、第２切り込みの内側部分が、第１折り返しフラップから分離した状態で、第１基部の裏面に近づくように更に押し込まれ、第１差し込みタブが第１スリットに挿入されるので、該空きスペースが無い形態に比べて挿入が容易で且つ確実に行えるメリットがある。
【００１４】
同様に、第１正面タブの切り欠きや第２背面タブの切り欠きによって形成された空きスペースを介して、第３、第４切り込みの内側部分が、第２折り返しフラップから分離した状態で、第２基部の裏面に近づくように更に押し込まれ、第２差し込みタブが第２スリットに挿入されるので、該空きスペースが無い形態に比べて挿入が容易で且つ確実に行えるメリットがある。
【００１５】
また、好ましくは、第１差し込みタブは、第１折り返しフラップから遠い側の幅が広く、近い側の幅が狭く、第２差し込みタブは、第２折り返しフラップから遠い側の幅が広く、近い側の幅が狭く、第１差し込みタブにおける第１折り返しフラップから遠い側の幅は、第１スリットの幅よりもわずかに広く、第２差し込みタブにおける第２折り返しフラップから遠い側の幅は、第２スリットの幅よりもわずかに広い。
【００１６】
第１差し込みタブの先端部の幅は、第１スリットの幅よりもわずかに広いため、一旦、挿入されると嵌め殺し状態で、容易に抜けない。同様に、第２差し込みタブの先端部の幅は、第２スリットの幅よりもわずかに広いため、一旦、挿入されると嵌め殺し状態で、容易に抜けない。
【００１７】
さらに好ましくは、第１差し込みタブ、第１切り込み、及び第２切り込みによって、等脚台形が形成され、第２差し込みタブ、第３切り込み、及び第４切り込みによって、等脚台形が形成される。
【００１８】
これにより、第１差し込みタブの両端の一方と、第１切り込みが一直線上に並べられ、第１差し込みタブの両端の他方と、第２切り込みが一直線上に並べられるので、ブランクの打ち抜きの形状を簡素化出来る。同様に、第２差し込みタブの両端の一方と、第３切り込みが一直線上に並べられ、第２差し込みタブの両端の他方と、第４切り込みが一直線上に並べられるので、ブランクの打ち抜きの形状を簡素化出来る。
【考案の効果】
【００１９】
以上のように本考案によれば、１枚のブランクを折り曲げて形成され、上面中央部分が空いている包装用箱であって、組み立てを複雑にすることなく、固定状態を維持出来る包装用箱を提供することができる。
【図面の簡単な説明】
【００２０】
【図１】本実施形態における包装用箱を組み立てる前のブランクを示す展開図である。
【図２】図１における第１側面上フラップ、及びその周辺の拡大図である。
【図３】接合部、正面部、第１側面部、背面部、第２側面部、正面上フラップ、及び背面上フラップを、第１〜第５折れ線で、９０度に山折りし、接合部の表面に糊を塗り、第２側面部の裏面の一部に貼り付けた状態の斜視図である。
【図４】図３の状態から、更に、第１側面上フラップが、第５折れ線で山折りされ、第２側面上フラップが、第５折れ線と第９折れ線で山折りされた状態の斜視図である。
【図５】図４の状態で、且つ上下逆にした状態で、第２折り返しフラップ、及びその周辺を拡大した斜視図である。
【図６】図４の状態から、更に、第１側面上フラップ、第２側面上フラップを、第７折れ線、第８折れ線、第１０折れ線で、９０度に山折りした状態の斜視図である。
【図７】図６の状態で、且つ上下逆にした状態で、第２折り返しフラップ、及びその周辺を拡大した斜視図である。
【図８】図６の状態から、更に、第１側面下フラップ、及び第２側面下フラップを、第６折れ線で、９０度に山折りし、正面下フラップ、及び背面下フラップを、第６折れ線で、９０度に山折りした状態の斜視図である。
【考案を実施するための形態】
【００２１】
以下、本実施形態について、図を用いて説明する。本実施形態における包装用箱は、ライナーに波型に加工した中芯を貼り付け、さらに裏側にライナーで補強した板状シートの段ボールシートで構成され、正面部１ａ、背面部１ｂ、第１側面部２ａ、第２側面部２ｂ、接合部３、上面部（正面上フラップ４ａ、背面上フラップ４ｂ、第１側面上フラップ５ａ、第２側面上フラップ５ｂ）、及び下面部（正面下フラップ６ａ、背面下フラップ６ｂ、第１側面下フラップ７ａ、第２側面下フラップ７ｂ）を備え、これらに囲まれた略直方体形状（図８参照）を有する。
【００２２】
図１は、本実施形態における包装用箱のブランクの展開図であり、段ボールシートを図１の実線で示す部分を打ち抜き、一点鎖線で示すように第１〜第１０折れ線Ｌ１〜Ｌ１０を入れることにより、組み立て前のブランクが出来る。図１〜図６における一点鎖線は、山折り線を示し、破線は、谷折り線を示す。
【００２３】
本実施形態における包装用箱のブランクは、接合部３と正面部１ａが第１折れ線Ｌ１を介して、正面部１ａと第１側面部２ａが第２折れ線Ｌ２を介して、第一側面部２ａと背面部１ｂが第３折れ線Ｌ３を介して、及び背面部１ｂと第２側面部２ｂが第４折れ線Ｌ４を介して、横方向につながった状態で並べられ、組み立て時は、接合部３を介して、正面部１ａと第２側面部２ｂとが結合する。接合部３の幅、すなわち図１における上下の寸法は、第２側面部２ｂの幅に比べて十分に小さい。
【００２４】
また、包装用箱のブランクは、正面上フラップ４ａが、正面部１ａと、第５折れ線Ｌ５を介して、縦方向で且つ上側（図１における横方向で且つ右側）につながった状態で並べられ、正面下フラップ６ａが、正面部１ａと、第６折れ線Ｌ６を介して、縦方向で且つ下側（図１における横方向で且つ左側）につながった状態で並べられ、背面上フラップ４ｂが、背面部１ｂと、第５折れ線Ｌ５を介して、縦方向で且つ上側につながった状態で並べられ、背面下フラップ６ｂが、背面部１ｂと、第６折れ線Ｌ６を介して、縦方向で且つ下側につながった状態で並べられる。
【００２５】
すなわち、正面部１ａの上辺（第５折れ線Ｌ５）からは、正面上フラップ４ａが延設され、正面部１ａの下辺（第６折れ線Ｌ６）からは、正面下フラップ６ａが延設され、背面部１ｂの上辺（第５折れ線Ｌ５）からは、背面上フラップ４ｂが延設され、背面部１ｂの下辺（第６折れ線Ｌ６）からは、背面下フラップ６ｂが延設される。
【００２６】
また、包装用箱のブランクは、第１側面上フラップ５ａが、第１側面部２ａと、第５折れ線Ｌ５を介して、縦方向で且つ上側につながった状態で並べられ、第１側面下フラップ７ａが、第１側面部２ａと、第６折れ線Ｌ６を介して、縦方向で且つ下側につながった状態で並べられ、第２側面上フラップ５ｂが、第２側面部２ｂと、第５折れ線Ｌ５を介して、縦方向で且つ上側につながった状態で並べられ、第２側面下フラップ７ｂが、第２側面部２ｂと、第６折れ線Ｌ６を介して、縦方向で且つ下側につながった状態で並べられる。
【００２７】
すなわち、第１側面部２ａの上辺（第５折れ線Ｌ５）からは、第１側面上フラップ５ａが延設され、第１側面部２ａの下辺（第６折れ線Ｌ６）からは、第１側面下フラップ７ａが延設され、第２側面部２ｂの上辺（第５折れ線Ｌ５）からは、第２側面上フラップ５ｂが延設され、第２側面部２ｂの下辺（第６折れ線Ｌ６）からは、第２側面下フラップ７ｂが延設される。
【００２８】
正面部１ａと背面部１ｂは、同じ形状（長方形）と同じ寸法を有し、第１側面部２ａと第２側面部２ｂは、同じ形状（長方形）と同じ寸法を有する。正面上フラップ４ａと背面上フラップ４ｂは、同じ形状（略凹型形状）と同じ寸法を有し、正面下フラップ６ａと背面下フラップ６ｂは、同じ形状（長方形）と同じ寸法を有する。第１側面上フラップ５ａと第２側面上フラップ５ｂは、同じ形状（略凸型形状）と同じ寸法を有し、第１側面下フラップ７ａと第２側面下フラップ７ｂは、同じ形状（長方形）と同じ寸法を有する。
【００２９】
正面部１ａ、背面部１ｂの幅、すなわち図１における上下の寸法は、第１側面部２ａ、第２側面部２ｂの幅より大きい。正面部１ａ、背面部１ｂの高さと幅は、該包装用箱に収納する物に応じて決定される。第１側面部２ａの幅方向の中央で且つ、上部の第５折れ線Ｌ５に接する位置、すなわち、第１側面上フラップ５ａと接する位置には、横長の孔の第１スリット１４ａが設けられる。第２側面部２ｂの幅方向の中央で且つ、上部の第５折れ線Ｌ５に接する位置、すなわち、第２側面上フラップ５ｂと接する位置には、横長の孔の第２スリット１４ｂが設けられる。
【００３０】
正面上フラップ４ａの幅、すなわち図１における上下の寸法は、正面部１ａの幅よりも少し短い。同様に、背面上フラップ４ｂの幅、すなわち図１における上下の寸法は、背面部１ｂの幅よりも少し短い。
【００３１】
正面上フラップ４ａの高さ、すなわち図１における左右の寸法は、第１側面部２ａ（第２側面部２ｂ）の幅の１／２より十分に小さい。同様に、背面上フラップ４ｂの高さ、すなわち図１における左右の寸法は、第１側面部２ａ（第２側面部２ｂ）の幅の１／２より十分に小さい。このため、かかるブランクが組み立てられた包装用箱は、正面上フラップ４ａと背面上フラップ４ｂとの間の上面中央部分が部分的に開いている包装用箱になる。
【００３２】
正面上フラップ４ａは、両端から延設され、先端部の外側に切り欠きが設けられた第１、第２正面タブ８ａ１、８ａ２を有し、正面上フラップ４ａは、略凹型形状を形成する。正面部１ａの上部の第５折れ線Ｌ５から、第１、第２正面タブ８ａ１、８ａ２の先端部までの長さは、第１側面部２ａ（第２側面部２ｂ）の幅の約１／２である。
背面上フラップ４ｂは、両端から延設され、先端部の外側に切り欠きが設けられた第１、第２背面タブ８ｂ１、８ｂ２を有し、背面上フラップ４ｂは、略凹型形状を形成する。背面部１ｂの上部の第５折れ線Ｌ５から、第１、第２背面タブ８ｂ１、８ｂ２の先端部までの長さは、第１側面部２ａ（第２側面部２ｂ）の幅の約１／２である。
【００３３】
第２正面タブ８ａ２の切り欠き、第１背面タブ８ｂ１の切り欠きは、組み立て時に、第１折り返しフラップ１０ａにおける第１、第２切り込み１３ａ、１３ｂで形成される等脚台形の領域と対向する。
【００３４】
第１正面タブ８ａ１の切り欠き、第２背面タブ８ｂ２の切り欠きは、組み立て時に、第２折り返しフラップ１０ｂにおける第３、第４切り込み１３ｃ、１３ｄで形成される等脚台形の領域と対向する。
【００３５】
第１側面上フラップ５ａは、上下２段の部分からなり、下段に幅の広い第１基部９ａを有し、上段に幅の狭い第１折り返しフラップ１０ａを有する。下段側の第１基部９ａと、上段側の第１折り返しフラップ１０ａの間には、第１側面上フラップ５ａと第１側面部２ａとの間の第５折れ線Ｌ５と平行に２本の第７、第８折れ線Ｌ７、Ｌ８が設けられる。
【００３６】
第１折り返しフラップ１０ａの上部の中央部（第１折り返しフラップ１０ａから突出する部分）には、低い凸状の第１差し込みタブ１５ａが設けられる。第１基部９ａの高さ（第５折れ線Ｌ５と第７折れ線Ｌ７の距離）、すなわち、図１における左右方向の寸法は、第２正面タブ８ａ２、第１背面タブ８ｂ１の幅、すなわち図１における上下方向の寸法よりわずかに大きい。第１折り返しフラップ１０ａの先端と第８折れ線Ｌ８の距離は、第１基部９ａの高さよりも、第１差し込みタブ１５ａの突出分だけ、わずかに長い。
【００３７】
第７折れ線Ｌ７と第８折れ線Ｌ８の距離は、第２正面タブ８ａ２、第１背面タブ８ｂ１の厚さ（段ボールシートの厚さ）よりわずかに大きい。第１差し込みタブ１５ａの幅、すなわち、図１における上下方向の寸法は、第１スリット１４ａの幅よりわずかに広い。このため、第１差し込みタブ１５ａが第１スリット１４ａに挿入されると、嵌め殺し状態になり、容易に抜けにくい。
【００３８】
第１折り返しフラップ１０ａには、第１差し込みタブ１５ａの両端から、第１折り返しフラップ１０ａの第１基部９ａに近づく方向に向けて切り込み（第１、第２切り込み１３ａ、１３ｂ）が設けられる。第１差し込みタブ１５ａ、第１、第２切り込み１３ａ、１３ｂによって、第１差し込みタブ１５ａの先端部が下辺で、第１、第２切り込み１３ａ、１３ｂが斜辺とする等脚台形が形成される。かかる第１、第２切り込み１３ａ、１３ｂにより、組立時に、等脚台形部分が第１折り返しフラップ１０ａから分離し、第１差し込みタブ１５ａが第１スリット１４ａに挿入しやすくなる。
【００３９】
なお、第１差し込みタブ１５ａ、第１、第２切り込み１３ａ、１３ｂによって、等脚台形が形成される形態を説明したが、これにより、第１差し込みタブ１５ａの両端の一方と、第１切り込み１３ａが一直線上に並べられ、第１差し込みタブ１５ａの両端の他方と、第２切り込み１３ｂが一直線上に並べられるので、ブランクの打ち抜きの形状を簡素化出来るが、一直線上に並べない形態であってもよい。
【００４０】
第２側面上フラップ５ｂの構成は、第１側面上フラップ５ａの構成と同様である。第２側面上フラップ５ｂは、上下２段の部分からなり、下段に幅の広い第２基部９ｂを有し、上段に幅の狭い第２折り返しフラップ１０ｂを有する。下段側の第２基部９ｂと、上段側の第２折り返しフラップ１０ｂの間には、第２側面上フラップ５ｂと第２側面部２ｂとの間の第５折れ線Ｌ５と平行に２本の第９、第１０折れ線Ｌ９、Ｌ１０が設けられる。
【００４１】
第２折り返しフラップ１０ｂの上部の中央部（第２折り返しフラップ１０ｂから突出する部分）には、低い凸状の第２差し込みタブ１５ｂが設けられる。第２基部９ｂの高さ（第５折れ線Ｌ５と第９折れ線Ｌ９の距離）、すなわち、図１における左右方向の寸法は、第１正面タブ８ａ１、第２背面タブ８ｂ２の幅、すなわち図１における上下方向の寸法よりわずかに大きい。第２折り返しフラップ１０ｂの先端と第１０折れ線Ｌ１０の距離は、第２基部９ｂの高さよりも、第２差し込みタブ１５ｂの突出分だけ、わずかに長い。
【００４２】
第９折れ線Ｌ９と第１０折れ線Ｌ１０の距離は、第１正面タブ８ａ１、第２背面タブ８ｂ２の厚さ（段ボールシートの厚さ）よりわずかに大きい。第２差し込みタブ１５ｂの幅、すなわち、図１における上下方向の寸法は、第２スリット１４ｂの幅よりわずかに広い。このため、第２差し込みタブ１５ｂが第２スリット１４ｂに挿入されると、嵌め殺し状態になり、容易に抜けにくい。
【００４３】
第２折り返しフラップ１０ｂには、第２差し込みタブ１５ｂの両端から、第２折り返しフラップ１０ｂの第２基部９ｂに近づく方向に向けて切り込み（第３、第４切り込み１３ｃ、１３ｄ）が設けられる。第２差し込みタブ１５ｂ、第３、第４切り込み１３ｃ、１３ｄによって、第２差し込みタブ１５ｂの先端部が下辺で、第３、第４切り込み１３ｃ、１３ｄが斜辺とする等脚台形が形成される。かかる第３、第４切り込み１３ｃ、１３ｄにより、組立時に、等脚台形部分が第２折り返しフラップ１０ｂから分離し、第２差し込みタブ１５ｂが第２スリット１４ｂに挿入しやすくなる。
【００４４】
なお、第２差し込みタブ１５ｂ、第３、第４切り込み１３ｃ、１３ｄによって、等脚台形が形成される形態を説明したが、これにより、第２差し込みタブ１５ｂの両端の一方と、第３切り込み１３ｃが一直線上に並べられ、第２差し込みタブ１５ｂの両端の他方と、第４切り込み１３ｄが一直線上に並べられるので、ブランクの打ち抜きの形状を簡素化出来るが、一直線上に並べない形態であってもよい。
【００４５】
正面下フラップ６ａの幅、すなわち図１における上下の寸法は、正面部１ａの幅より少し短い。正面下フラップ６ａの高さ、すなわち図１における左右の寸法は、第１側面部２ａ（第２側面部２ｂ）の幅の約１／２である。背面下フラップ６ｂの幅、すなわち図１における上下の寸法は、背面部１ｂの幅より少し短い。背面下フラップ６ｂの高さ、すなわち図１における左右の寸法は、第１側面部２ａ（第２側面部２ｂ）の幅の約１／２である。
【００４６】
第１側面下フラップ７ａの幅、すなわち図１における上下の寸法は、正面部１ａの幅より少し短い。第１側面下フラップ７ａの高さ、すなわち図１における左右の寸法は、正面下フラップ６ａ、背面下フラップ６ｂと同じである。第２側面下フラップ７ｂの幅、すなわち図１における上下の寸法は、背面部１ｂの幅より少し短い。第２側面下フラップ７ｂの高さ、すなわち図１における左右の寸法は、正面下フラップ６ａ、背面下フラップ６ｂと同じである。
【００４７】
次に、上述のブランク（図１参照）から包装用箱を組み立てる手順を説明する。まず、接合部３、正面部１ａ、第１側面部２ａ、背面部１ｂ、第２側面部２ｂ、正面上フラップ４ａ、及び背面上フラップ４ｂを、第１〜第５折れ線Ｌ１〜Ｌ５で、９０度に山折りし、接合部３の表面に糊を塗り、第２側面部２ｂの裏面の一部に貼り付ける。これにより、正面部１ａと第２側面部２ｂとが連なった略四角筒の立体が形成される（図３参照）。
【００４８】
このとき、正面部１ａ（正面下フラップ６ａを含む）と、背面部１ｂ（背面下フラップ６ｂを含む）とが平行になり、第１側面部２ａ（第１側面下フラップ７ａを含む）と、第２側面部２ｂ（第２側面下フラップ７ｂを含む）とが平行になる。また、正面部１ａと第１側面部２ａとが垂直になり、正面部ａ１と正面上フラップ４ａ（第１、第２正面タブ８ａ１、８ａ２を含む）や背面上フラップ４ｂ（第１、第２背面タブ８ｂ１、８ｂ２を含む）とが垂直になる。
【００４９】
また、第５折れ線Ｌ５の第１側面部２ａや第１基部９ａが接する部分、第２正面タブ８ａ２、及び第１背面タブ８ｂ１で囲まれた領域に、第１、第２切り込み１３ａ、１３ｂを斜辺とする等脚台形とほぼ同じ大きさの空きスペースが形成される。同様に、第５折れ線Ｌ５の第２側面部２ｂや第２基部９ｂが接する部分、第１正面タブ８ａ１、及び第２背面タブ８ｂ２で囲まれた領域に、第３、第４切り込み１３ｃ、１３ｄを斜辺とする等脚台形とほぼ同じ大きさの空きスペースが形成される。
【００５０】
次に、第１側面上フラップ５ａ、第２側面上フラップ５ｂを、第５折れ線Ｌ５で、９０度に山折りする。これにより、第１基部９ａが第２正面タブ８ａ２、第１背面タブ８ｂ１の表面と対向し、第２基部９ｂが第１正面タブ８ａ１、第２背面タブ８ｂ２の表面と対向する。
【００５１】
次に、第１側面上フラップ５ａ、第２側面上フラップ５ｂを、第７折れ線Ｌ７、第９折れ線Ｌ９で、９０度に山折りする。図４は、第１側面上フラップ５ａが、第５折れ線Ｌ５で山折りされ、第２側面上フラップ５ｂが、第５折れ線Ｌ５と第９折れ線Ｌ９で山折りされた状態を示す。これにより、第１側面上フラップ５ａの第７折れ線Ｌ７と第８折れ線Ｌ８の間の部分が、第２正面タブ８ａ２、第１背面タブ８ｂ１の側面（厚さ方向の面）の一部領域と対向する。また、第２側面上フラップ５ｂの第９折れ線Ｌ９と第１０折れ線Ｌ１０の間の部分が、第１正面タブ８ａ１、第２背面タブ８ｂ２の側面（厚さ方向の面）の一部領域と対向する（図５参照）。
【００５２】
次に、第１側面上フラップ５ａ、第２側面上フラップ５ｂを、第８折れ線Ｌ８、第１０折れ線Ｌ１０で、９０度に山折りする（図６参照）。
【００５３】
また、第１折り返しフラップ１０ａから、第１、第２切り込み１３ａ、１３ｂの内側部分が分離し、第１差し込みタブ１５ａが、第２正面タブ８ａ２の切り欠きや第１背面タブ８ｂ１の切り欠きによって形成された略等脚台形形状の空きスペースを介して、第１基部９ａの裏面に近づき、第１差し込みタブ１５ａが、第１スリット１４ａに挿入される。第１差し込みタブ１５ａの先端部の幅は、第１スリット１４ａの幅よりもわずかに広いため、一旦、挿入されると嵌め殺し状態で、容易に抜けない。
【００５４】
第１折り返しフラップ１０ａにおける第１、第２切り込み１３ａ、１３ｂの外側部分は、第２正面タブ８ａ２、第１背面タブ８ｂ１の裏面の一部領域上に重なるか、少し離れた状態で、該裏面の一部領域と対向する。
【００５５】
また、第２折り返しフラップ１０ｂから、第３、第４切り込み１３ｃ、１３ｄの内側部分が分離し、第２差し込みタブ１５ｂが、第１正面タブ８ａ１や第２背面タブ８ｂ２によって形成された略等脚台形形状の空きスペースを介して、第２基部９ｂの裏面に近づき、第２差し込みタブ１５ｂが、第２スリット１４ｂに挿入される（図７参照）。第２差し込みタブ１５ｂの先端部の幅は、第２スリット１４ｂの幅よりもわずかに広いため、一旦、挿入されると嵌め殺し状態で、容易に抜けない。
【００５６】
第２折り返しフラップ１０ｂにおける第３、第４切り込み１３ｃ、１３ｄの外側部分は、第１正面タブ８ａ１、第２背面タブ８ｂ２の裏面の一部領域上に重なるか、少し離れた状態で、該裏面の一部領域と対向する。
【００５７】
第１差し込みタブ１５ａが第１スリット１４ａに挿入され、第２差し込みタブ１５ｂが第２スリット１４ｂに挿入されることにより、第１側面上フラップ５ａが、第２正面タブ８ａ２や第１背面タブ８ｂ１の表面、側面の一方、及び裏面を囲み、第２側面上フラップ５ｂが、第１正面タブ８ａ１や第２背面タブ８ｂ２の表面、側面の一方、及び裏面を囲み、正面上フラップ４ａや背面上フラップ４ｂを、正面部１ａや背面部１ｂと垂直な状態で固定し、正面上フラップ４ａと、背面上フラップ４ｂとの間の上面中央部分が部分的に開いた状態で、包装用箱の上面が閉じられる。
【００５８】
次に、包装用箱の底面側を上に向けた状態で、長ネギなどの収納物を収納する。収納後、第１側面下フラップ７ａ、及び第２側面下フラップ７ｂを、第６折れ線Ｌ６で、９０度に山折りする。最後に正面下フラップ６ａ、及び背面下フラップ６ｂを、第６折れ線Ｌ６で、９０度に山折りする（図８参照）。底面は、正面下フラップ６ａと背面下フラップ６ｂとをステープルを打ち込んで固定する。但し、正面下フラップ６ａなどに切り込みを設け、第１側面下フラップ７ａなどを差し込んで固定する形態であってもよい。
【００５９】
本実施形態では、ブランクの状態（図１参照）から、第１〜第１０折れ線Ｌ１〜Ｌ１０を山折りすることにより、包装用箱を組み立て、第１差し込みタブ１５ａの第１スリット１４ａへの挿入、及び第２差し込みタブ１５ｂの第２スリット１４ｂへの挿入により、上面部を固定することが可能になる。特に、第１〜第１０折れ線Ｌ１〜Ｌ１０は、総て同じ方向の山折りで良いため、谷折りと山折りの箇所を区別する必要なく、簡単に包装用箱を組み立てることが可能になる。
【００６０】
第１、第２切り込み１３ａ、１３ｂによって、第１折り返しフラップ１０ａが、内側部分と外側部分に分離出来るので、第１差し込みタブ１５ａを第１スリット１４ａに挿入するために、該内側部分だけを、押し込むように折り曲げることが可能になり、第１、第２切り込み１３ａ、１３ｂが無い形態に比べて、組み立てが容易になる。
【００６１】
第３、第４切り込み１３ｃ、１３ｄによって、第２折り返しフラップ１０ｂが、内側部分と外側部分に分離出来るので、第２差し込みタブ１５ｂを第２スリット１４ｂに挿入するために、該内側部分だけを、押し込むように折り曲げることが可能になり、第３、第４切り込み１３ｃ、１３ｄが無い形態に比べて、組み立てが容易になる。
【００６２】
また、挿入後、段ボールシートの折り曲げに対する反力により、第１折り返しフラップ１０ａが、第２正面タブ８ａ２や第１背面タブ８ｂ１から離れようとする力（第１差し込みタブ１５ａの第１スリット１４ａへの挿入状態を解除しようとする力）が発生するが、かかる反力が、第１、第２切り込み１３ａ、１３ｂによって内側部分と外側部分で分離されているため、第１、第２切り込み１３ａ、１３ｂが無い形態に比べて該力が小さく、挿入状態が解除されにくいメリットがある。
【００６３】
また、挿入後、段ボールシートの折り曲げに対する反力により、第２折り返しフラップ１０ｂが、第１正面タブ８ａ１や第２背面タブ８ｂ２から離れようとする力（第２差し込みタブ１５ｂの第２スリット１４ｂへの挿入状態を解除しようとする力）が発生するが、かかる反力が、第３、第４切り込み１３ｃ、１３ｄによって内側部分と外側部分で分離されているため、第３、第４切り込み１３ｃ、１３ｄが無い形態に比べて該力が小さく、挿入状態が解除されにくいメリットがある。
【００６４】
また、第２正面タブ８ａ２の切り欠きや第１背面タブ８ｂ１の切り欠きによって形成された略等脚台形形状の空きスペースを介して、第１、第２切り込み１３ａ、１３ｂの内側部分が、第１折り返しフラップ１０ａから分離した状態で、第１基部９ａの裏面に近づくように更に押し込まれ、第１差し込みタブ１５ａが第１スリット１４ａに挿入されるので、該空きスペースが無い形態に比べて挿入が容易で且つ確実に行えるメリットがある。
【００６５】
また、第１正面タブ８ａ１の切り欠きや第２背面タブ８ｂ２の切り欠きによって形成された略等脚台形形状の空きスペースを介して、第３、第４切り込み１３ｃ、１３ｄの内側部分が、第２折り返しフラップ１０ｂから分離した状態で、第２基部９ｂの裏面に近づくように更に押し込まれ、第２差し込みタブ１５ｂが第２スリット１４ｂに挿入されるので、該空きスペースが無い形態に比べて挿入が容易で且つ確実に行えるメリットがある。
【符号の説明】
【００６６】
１ａ  正面部
１ｂ  背面部
２ａ  第１側面部
２ｂ  第２側面部
３  接合部
４ａ  正面上フラップ
４ｂ  背面上フラップ
５ａ  第１側面上フラップ
５ｂ  第２側面上フラップ
６ａ  正面下フラップ
６ｂ  背面下フラップ
７ａ  第１側面下フラップ
７ｂ  第２側面下フラップ
８ａ１、８ａ２  第１、第２正面タブ
８ｂ１、８ｂ２  第１、第２背面タブ
９ａ、９ｂ  第１、第２基部
１０ａ、１０ｂ  第１、第２折り返しフラップ
１３ａ〜１３ｄ  第１〜第４切り込み
１４ａ、１４ｂ  第１、第２スリット
１５ａ、１５ｂ  第１、第２差し込みタブ
Ｌ１〜Ｌ１０  第１〜第１０折れ線
【図１】
0003158155.tif 000003
【図２】
0003158155.tif 000004
【図３】
0003158155.tif 000005
【図４】
0003158155.tif 000006
【図５】
0003158155.tif 000007
【図６】
0003158155.tif 000008
【図７】
0003158155.tif 000009
【図８】
0003158155.tif 000010